(57)【要約】  底部（１２）及び肩部（１１）を有する家具（Ｍ）のためのレベリングフットのためのコンパクト前方調整システムであって、少なくとも２つの前部フットである、右フット（１３ｄ）及び左フット（１３ｓ）、ならびに、少なくとも２つの後部フットである、右フット（１４ｄ）及び左フット（１４ｓ）を備え、前記後部フット（１４ｄ，１４ｓ）の各々は、高さ調整機構を備え、高さ調整機構は、それぞれの穴（２１ｄ，２１ｓ）を通してフットの外側からアクセス可能であり、かつ、操作ツール（１８）によって操作されることが可能である、コンパクト前方調整システム。本発明によれば、前記操作ツール（１８）のためのそれぞれの支持及び案内ユニット（１７ｄ，１７ｓ；２２；２５）は、前記後部フット（１４ｄ，１４ｓ）と組合せて設けられ、前記ユニットは、それぞれの後部フット（１４ｄ，１４ｓ）の高さの調整機構にアクセスするために前記穴（２１ｄ，２１ｓ）と一直線となる軸Ｘに従って、前記前部フット（１３ｄ，１３ｓ）の間の中間位置において家具（Ｍ）の前記底部（１２）上に組付けられている。
2020507376.tif 000002
【特許請求の範囲】
【請求項１】
少なくとも２つの前部フットである、右フット（１３ｄ）及び左フット（１３ｓ）、ならびに、少なくとも２つの後部フットである、右フット（１４ｄ）及び左フット（１４ｓ）、を備えるタイプの、底部（１２）及び肩部（１１）を有する家具（Ｍ）のためのレベリングフットのためのコンパクト前方調整システムであり、前記後部フット（１４ｄ，１４ｓ）の各々は、高さ調整機構を備え、前記高さ調整機構は、それぞれの穴（２１ｄ，２１ｓ）を通して前記フットの外側からアクセス可能であり、かつ、操作ツール（１８）によって操作されることが可能であり、前記操作ツール（１８）のためのそれぞれの支持及び案内ユニット（１７ｄ，１７ｓ；２２；２５）が、前記後部フット（１４ｄ，１４ｓ）と組合せて設けられ、前記ユニットは、前記それぞれの後部フット（１４ｄ，１４ｓ）の前記高さ調整機構にアクセスするための前記穴（２１ｄ，２１ｓ）と一直線となる軸Ｘに従って、前記前部フット（１３ｄ，１３ｓ）の間の中間位置において前記家具（Ｍ）の前記底部（１２）上に組付けられ、前記支持及び案内ユニット（１４ｄ，１７ｓ；２２；２５）は、前記軸Ｘ上に載り前記軸Ｘと一直線となる通過穴（２０ｄ；２０ｓ；２４ｄ，２４ｓ；２７）を有する、コンパクト前方調整システムであって、
前記操作ツール（１８）のための前記支持及び案内ユニット（１７ｄ，１７ｓ；２２；２５）は、前記家具（Ｍ）の前記底部（１２）の前縁に近いエリアに制限された前記前部フット（１３ｄ，１３ｓ）の間の中間位置に配置され、前記前部フット（１３ｄ，１３ｓ）に拘束されていないことを特徴とする、システム。
【請求項２】
前記支持及び案内ユニットは、一対の要素（１９ｄ，１９ｓ）からなり、前記一対の要素（１９ｄ，１９ｓ）は、前記底部（１２）に固定され、各々が通過穴（２０ｄ，２０ｓ）を備えることを特徴とする、請求項１に記載のシステム。
【請求項３】
前記支持及び案内ユニットは、単一要素（２３）からなり、前記単一要素（２３）は、前記家具の前記底部（１２）に固定され、一対の交差する通過穴（２４ｄ；２４ｓ）を備えることを特徴とする、請求項１に記載のシステム。
【請求項４】
前記支持及び案内ユニットは、２つの動作位置の間で移動可能な要素（２６）からなり、前記２つの動作位置における第１の位置では、前記軸（Ｘ）が、前記右後フット（１４ｄ）の前記操作機構にアクセスするために前記穴（２１ｄ）と一直線となり、前記２つの動作位置における第２の位置では、前記軸（Ｘ）が、前記左後フット（１４ｓ）の前記操作機構にアクセスするために前記穴（２１ｓ）と一直線となることを特徴とする、請求項１に記載のシステム。
【請求項５】
前記要素（２６）は、前記底部（１２）に固定されたベース（２９）に対して（２８）でヒンジ接続されることを特徴とする、請求項４に記載のシステム。
【請求項６】
前記支持及び案内要素（１９ｄ，１９ｓ；２３；２６）は、全体的に平行六面体／角柱のだぼの形状を有することを特徴とする、前述の請求項のいずれかに記載のシステム。 
【発明の詳細な説明】
【発明の詳細な説明】
【０００１】
本発明は、家具用レベリングフットのための改良型前方調整システムに関する。
本発明は、例えば、底部と床との間の距離が最小でありかつ制限され、システムの後部フットに対する前方アクセスの困難さを伴うキッチンベース等の、家具の底部に適用される後部フットの調整を行うのに特に適する。
【０００２】
種々のレベリングシステムが知られており、レベリングシステムは、特別なトランスミッションロッドの装備及び組立てならびに後部フットの調整を含む。
家具の底部と床との間の距離が最小であるため、後部フットに達するねじ回しまたはツールで正確にかつ迅速に作業することは、実際には不可能である。かなりの距離及び利用可能な最小の空間は、後部フットの穴または調整デバイスにアクセスする困難さを生じる。これは、後部フットの特定の台座に向かって案内される、ねじ回しまたは同様のツールによって制御されるガイド及び伸張ロッドについての必要性につながる。この困難さは、例えば欧州特許第２８３９７６１号に記載されるような、一点の家具の底部に拘束された適切なガイド内への、例えば、トランスミッションロッドの配置によって克服される。
【０００３】
これらのトランスミッションロッドは、結果的に、家具の底部に固定された、特定の別個の管状要素内で適切に支持され、これら管状要素は、トランスミッションロッドを案内された位置で維持し、通常のねじ回しまたはツールによる後部フットの調整を可能にする。
【０００４】
フットに隣接してはいるものの、別個の支持体の存在は、別個の支持体が、設置されフットに達するために、作動とフットの両方に対して傾斜されなければならず、作動において困難さを生じる。
【０００５】
代替的に、例えば、イタリア国特許出願第２０１１Ａ００１８７２号に開示されるように、フットが、フットを支持するための飾り板または取付け具内に現在のところ設けられていることによって、前記飾り板には、後部フットに向かう上記で述べたトランスミッションロッドを収容するように設計された特定の通路及びハウジングが設けられている。
【０００６】
この場合、トランスミッションロッドの別個の支持体、前部フットの支持飾り板は、いずれにしても、トランスミッションロッドのために通路及びハウジングを提供しなければならない。
【０００７】
さらに、種々の部品の配置のために必要な距離は、正確に予測されなければならず、用途に応じて常に同じであるわけではない。
したがって、含まれる要素は、フットのための取付け具または支持プレートであるだけでなく、トランスミッションロッドでもあり、それは、製造コスト及び組立てコストの双方を伴う。
【０００８】
その結果、公知技術においては、多数の要素が、後部フットの調整システムを形成し作動させるために必要である、あるいは、前部フットのための複雑な飾り板または支持取付け具が、トランスミッションロッドの支持体をなくすことができるように、複雑な飾り板または支持取付け具内に位置決めされた相対ロッドを備えなければならない。
【０００９】
全ての調整可能フットがこれらの別個の取付け飾り板を備えるのではなく、一体化された取付け具を設けることができ、その結果、使用される任意のタイプのフットの存在下で調整を試みることが同様に留意されるべきである。
【００１０】
他の調整システムは、豪国特許出願公開第２００９２２７４８４号及び国際公開第２０１０／０２０６３３号及びイタリア国特許出願第１０２０１６００００２４６８３号に例示される。
【００１１】
イタリア国特許出願第１０２０１６００００２４６８３号は、少なくとも１つの前部フット（１３，２６，１２７）及び少なくとも１つの後部フット（１６，２７）を組合せて備えるタイプの、底部（１２）及び肩部（１１）を有する家具（Ｍ）のレベリングフットのためのコンパクト前方調整システムを記述し、少なくとも前記後部フット（１６，２７）は、高さ調整機構を備え、この高さ調整機構は、フットの外側からアクセス可能であり、ツール（２２，４８，１２３）によって操作されることができる。前記少なくとも１つの前部フット（１３，２６，１２７）は、前記少なくとも１つの後部フット（１６，２７）の前記調整ツールのために通過穴（２０，４１，４１’，１４１’，４２，４３）を提供し、前記通過穴は、前記ツールのための支持体及びガイドとして機能する。
【００１２】
このタイプの調整システムは、優れた結果をもたらしているが、とりわけ一部の用途について、比較的高価である。
本発明の全体的な目的は、現在のところ知られているシステムに関して特に簡素化され、したがって、非常に経済的である、家具のための後部レベリングフットのための前方調整システムを提供することである。
【００１３】
本発明の更なる目的は、底部の下の空間が極端に制限され、アクセスについての重大な困難さを伴う家具のための後部レベリングフットのための前方調整システムを提供することである。
【００１４】
本発明の別の目的は、一点の家具をレベリングするために使用される種々の構成の後部フットに適する調整システムを提供することである。
更に別の目的は、家具の後部フットの調整具を作動させるためにトランスミッションロッドを提供しない家具のための後部レベリングフットのための前方調整システムを提供することである。
【００１５】
上記目的は、添付の請求項１及び従属請求項に示す特徴を有するシステムによって達成される。
本発明の構造的及び機能的特徴及び公知技術に対するその利点は、添付図面を参照しつつ、本発明自体の種々の非制限的な実施形態を例示する以下の説明から明らかになるであろう。
【図面の簡単な説明】
【００１６】
【図１】本発明によって生産される家具のためのレベリングフットのためのコンパクト前方調整システムの第１の例を図示する斜視図であり、操作ツールは、特定のユニットによって支持および案内され、特定のユニットは、前部フットによって、家具のためのベースにおける単一の後部フットに達するための１つのアクセスのみに制限されず、前記後部フットは調整機構を備える。
【図２】本発明に係る調整システムの更なる例を図示する斜視図であり、操作ツールは、単一ユニットによって支持および案内され、単一ユニットは、前部フットによって、ベースの右後フットと左後フットとの両方に達するための２つのアクセスポイントに制限されず、前記後部フットの双方は、それぞれの調整機構を備える。
【図３】本発明の第３の実施形態の斜視図であり、操作ツールは、単一ユニットによって支持および案内され、単一ユニットは、前部フットによって、家具のためのベースの右後フットと左後フットとの両方に達するための単一の配向可能アクセスに制限されず、前記後部フットの双方は、それぞれの調整機構を備える。
【発明を実施するための形態】
【００１７】
図面を全体的に参照すると、図が、一点の家具Ｍ、例えば、一点のキッチン家具（ベース）を部分的に図示し、示す例において、肩部１１（側面）が、底部１２に対応して終端する、すなわち、肩部１１が床（図示せず）に達しないことを観察することができる。
【００１８】
他の実施形態において、肩部１１は床に達することができ、底部１２は、床に載置される肩部１１の縁に対して高い高さにあることができる。
図面から明確に見ることができるように、家具（ベース）Ｍは、それぞれが右、左にある少なくとも一対の前部フット１３ｄ、１３ｓ及び少なくとも一対の後部フット１４ｄ、１４ｓを使用して床上に載置されるように設計される。前記一対の前部フット１３ｄ、１３ｓ及び後部フット１４ｄ、１４ｓは、或る角度位置で、家具Ｍ自体の底部１２に対するそれぞれの取付け具１５ｄ、１５ｓ及び１６ｄ、１６ｓを備える。前記フット及び取付け具は、当該分野の当業者によく知られているタイプであってもよく、高さ調整機構も組込んでもよい。例えば、上記で述べた先行特許に対して参照が行われるべきである。
【００１９】
既に述べたように、このタイプの家具においては、底部１２の下の空間は完全に空いていなければならず、後部調整可能フット１４ｄ、１４ｓに対する前方アクセスは、床と家具の底部１２との間の距離が制限されるために不可能である場合がある。
【００２０】
図面の図１を特に参照すると、本発明によれば、操作ツール１８のためのそれぞれの支持及び案内ユニット１７ｄ、１７ｓは、前記一対の後部フット１４ｄ、１４ｓと協働する。
【００２１】
前記ユニット１７ｄ、１７ｓは、上記で述べた前部フット１３ｄと１３ｓとの間の中間位置で（図示しない床に対向する外側表面上で）家具Ｍの底部１２に固定される。
図１の実施形態において、ユニット１７ｄ、１７ｓは、それぞれの長手方向通過穴２０ｄ、２０ｓが横切る、細長い平行六面体の形状を有する支持及び案内要素１９ｄ、１９ｓ（だぼ）からなる。
【００２２】
特徴的には、本発明によれば、前記通過穴２０ｄ、２０ｓの長手方向対称軸は、それぞれの後部フット１４ｄ、１４ｓの高さ調整機構（図示せず）にアクセスするための、後取付け具１６ｄ、１６ｓの穴２１ｄ、２１ｓの対称軸Ｘに一致して一直線になる（長手方向対称軸は、同じ軸Ｘに沿って存在する）。
【００２３】
こうして、後部フット１４ｄ、１４ｓの高さ調整は、図面の図１に明確に図示されるように、操作ツール１８を長手方向穴２０ｄ、２０ｓに導入し、操作ツール１８が調整機構へのアクセス穴２１ｄ、２１ｓの内部に挿入されるまで操作ツール１８を前方に押すことによって、容易に行うことができる。
【００２４】
図面の図２の本発明の実施形態では、操作ツール１８のための単一の支持及び案内ユニット２２が図示されており、前記ユニット２２は、右前フットと左前フットとの間の中間位置で底部１２に固定される。
【００２５】
前記ユニット２２は、全体的に角柱の要素（だぼ）２３からなり、要素２３の内部には、（一対の）交差する通過穴２４ｄ、２４ｓが形成されている。
この場合もまた、図１の実施形態の場合と同様に、前記通過穴２４ｄ、２４ｓの長手方向対称軸は、それぞれの後部フット１４ｄ、１４ｓの高さ調整機構（図示せず）にアクセスするための、後取付け具１６ｄ、１６ｓの穴２１ｄ、２１ｓの対称軸Ｘに一致して一直線になる（長手方向対称軸は、同じ軸Ｘに沿って存在する）。
【００２６】
調整は、図１を参照しながら既に説明したように行われる。
図面の図３の本発明の実施形態では、操作ツール１８のための単一の支持及び案内ユニット２５が図示されており、前記ユニット２５は、右前フットと左前フットとの間の中間位置で底部１２に固定されている。
【００２７】
前記ユニット２５は、長手方向通過穴２７が横切る、細長い平行六面体形状を有する支持及び案内要素２６からなる。
前記要素２６は、底部１２に固定されたベース２９に対して２８でヒンジ接続される。
【００２８】
こうして、要素２６は、ベース２９の停止部３０によって決定される２つの終端動作位置の間で回転することができる。
図３において明確に見ることができるように、前記２つの動作位置において、前記通過穴２７の長手方向対称軸は、後部フット１４ｄ、１４ｓのそれぞれの高さ調整機構にアクセスするための、後取付け具１６ｄ、１６ｓの穴２１ｄ、２１ｓの対称軸Ｘに一致して一直線になる（長手方向対称軸は、同じ軸Ｘに沿って存在する）。
【００２９】
調整は、図１及び図２を参照しながら既に説明したように行われるが、同じ操作ツール１８によって、２つの終端動作位置のいずれかの位置への要素２６の２８を中心とする回転が生じて、右後フットまたは左後フットのうちどちらか一方の調整も行われる。
【００３０】
前部フット１３ｄ、１３ｓも、アクセス穴３２を通る操作ツール３１によって操作することができる高さ調整機構を備える。この場合もまた、高さ調整機構は、当業者によく知られている任意のタイプであってもよい（しかも、床に載置されるフットのベースに直接作用しながら操作可能であってもよい）。
【００３１】
したがって、極めて経済的かつ機能的である調整システムを提供するという、本明細書の冒頭で述べた目的が達成された。
本発明の保護範囲は添付の請求項によって規定される。
【図１】
2020507376.tif 000003
【図２】
2020507376.tif 000004
【図３】
2020507376.tif 000005
【国際調査報告】
2020507376.tif 000006
2020507376.tif 000007